(57)【要約】  筆記用具用のペン先組立品は、第１の端部および第２の端部を持つ口金を具備する。この口金は、口金内側壁部と口金外壁部とを有し、口金内側壁部と口金外壁部とが開口部を有するウェルによって離間している。キャップは、第１の端部、第２の端部、および第１のキャップ壁部を持つ。第１のキャップ壁部は、ウェルの中に少なくとも部分的に収納される大きさおよび形状を有し、第１のキャップ壁部は、キャップが口金に連結される場合、口金内側壁部と口金外壁部との間のウェルに、少なくとも部分的に配置される。
2015511192.tif 000002
【特許請求の範囲】
【請求項１】
筆記用具用のペン先組立品であって、
第１の端部および第２の端部、口金内側壁部、ならびに前記第１の端部に配置された口金外壁部を持ち、前記口金内側壁部と前記口金外壁部とが前記第１の端部近傍に開口部を持つウェルによって離間している、口金と、
第１の端部、第２の端部、および第１のキャップ壁部を持ち、前記第１のキャップ壁部が少なくとも部分的に前記ウェルの中に収納される大きさおよび形状を有する、キャップとを具備し、
前記第１のキャップ壁部が、前記キャップが前記口金に連結される場合、前記口金内側壁部と口金外壁部との間のウェルに少なくとも部分的に配置される、ペン先組立品。
【請求項２】
前記口金内側壁部が中心穴を具備し、前記中心穴が前記口金を通って延び、前記中心穴が前記第１の口金端部で第１の開口部を形成し、前記第２の口金端部で第２の開口部を形成している、請求項１に記載のペン先組立品。
【請求項３】
前記口金内側壁部の前記中心穴が、第１の直径を持つ第１の部分と、第２の直径を持つ第２の部分とを有し、前記第１の直径が前記第２の直径よりも小さい、請求項２に記載のペン先組立品。
【請求項４】
前記口金内側壁部および前記口金外壁部の両方が、前記口金の前記第１の端部に近傍の自由端部を有し、前記口金内側壁部の前記自由端部が前記口金外壁部の前記自由端部よりも長手方向に沿ってさらに外側に延びている、請求項１に記載のペン先組立品。
【請求項５】
前記ウェルの前記開口部が、前記口金外壁部の内面と前記口金内側壁部の外面とによって形成され、前記口金外壁部の内面が前記口金内側壁部から離れるように外方向に傾斜している、請求項１に記載のペン先組立品。
【請求項６】
前記口金外壁部の前記内面の角度が前記口金の長手方向の軸に対して約５度ないし約２５度の範囲内にある、請求項５に記載のペン先組立品。
【請求項７】
前記キャップ内壁部が前記口金の長手方向の軸と位置合わせされた中心ブラインド穴を具備する、請求項１に記載のペン先組立品。
【請求項８】
前記キャップ外壁部と前記キャップ内壁部との間の空隙が、前記中心ブラインド穴と同軸である環状空隙を具備する、請求項７に記載のペン先組立品。
【請求項９】
前記口金内壁部および前記口金外壁部の両方が円筒状であり、前記口金内側壁部および前記口金外壁部の両方が前記口金の長手方向の軸と実質的に同軸である、請求項１に記載のペン先組立品。
【請求項１０】
筆記用具であって、
第１の端部の開口部と中空中核部とを有する軸柄と、
前記中空中核部の中に配置されたインク容器と、
第１の口金端部と第２の口金端部とを持つ口金であり、前記口金が前記開口部近傍の前記軸柄に連結され、前記口金が二重壁部を持ち、該二重の壁部が内壁部と外壁部とを有し、前記内壁部と前記外壁部との間の空隙が前記第１の口金端部の開口部の中にウェルを形成する、口金と、
前記内壁部に少なくとも部分的に配置され、かつ前記インク容器と流体連通している、ペン先と、
第１のキャップ端部と第２のキャップ端部と持つキャップであり、前記キャップが第１のキャップ壁部によって形成された開口部を前記第１のキャップ端部に有し、前記第１のキャップ壁部の自由端部が前記開口部に近接して位置するとともに前記ウェルの中に嵌合する大きさおよび形状を有する、キャップとを具備する、筆記用具。
【請求項１１】
前記キャップが第２のキャップ壁部をさらに具備し、前記第１のキャップ壁部がキャップ内壁部であり、前記第２の壁部がキャップ外壁部である、請求項１０に記載の筆記用具。
【請求項１２】
前記インク容器が繊維性の材料を具備する、請求項１０に記載の筆記用具。
【請求項１３】
前記インク容器が約１ｃｐｓないし約３０ｃｐｓの範囲内の粘度を持つインクを具備する、請求項１２に記載の筆記用具。
【請求項１４】
前記軸柄が前記開口部に近接した内側方向突出環を有し、前記口金が前記軸柄上の前記内側方向突出環と連動する対応の凹部または外方向に突出した突起部を有する、請求項１０に記載の筆記用具。
【請求項１５】
前記口金外壁部の内面が、内側方向に突出した突起部を有し、該突起部は、前記キャップが前記口金に連結される場合に、前記キャップと前記口金との間に第１の封止部を形成するべく、前記第１のキャップ壁部の前記外面上に外方向に突出する対応の突起部、または、対応の凹部と相互作用する、請求項１０に記載の筆記用具。
【請求項１６】
前記口金外壁部の外面が隆起環状突起部を有し、前記第１のキャップ壁部の内面が、前記キャップが前記口金に連結される場合に、前記キャップと前記口金との間に第２の封止部を形成するべく、前記口金に前記キャップを連結させる前記口金外壁部の前記外面上の前記隆起環状突起部と連動する対応の内側方向突出環、または、対応の凹部を有する、請求項１０に記載の筆記用具。
【請求項１７】
前記ペン先が柔軟である、請求項１０に記載の筆記用具。
【請求項１８】
前記ペン先が多孔性のプラスチックペン先を具備する、請求項１７に記載の筆記用具。
【請求項１９】
前記中心穴の中に配置された環状隆起部をさらに具備し、前記環状隆起部が前記ペン先の外面に形成された対応の環状凹部と連動して、前記ペン先を前記口金内側壁部の中の前記口金に連結させる、請求項１０に記載の筆記用具。
【発明の詳細な説明】
【技術分野】
【０００１】
本発明は、概ね、筆記用具用のペン先組立品、より詳しくは、キャップの内面から口金の把持面へインクが移るのを防ぐことを目的とした二重の壁部を有する口金を持つペン先組立品に関する。
【背景技術】
【０００２】
周知のように、筆記用具は軸柄または本体から延びるペン先を有する。このペン先は多くの場合、使用していない時には、キャップによって周囲から保護されている。キャップによって、ペン先のインクで多くの場合に見られる揮発性化合物（最も一般的には溶媒）の蒸発を防止または最小限にすることができる。より揮発性の高いインクは、多くの場合、多孔性または繊維性のペン先によって送り出される。一部のインクは、筆型のペン先で送り出されることもある。そのような筆記用具の例として、筆のようなインク一筆の動きを作り出す弾力性に富んだ層状のペン先を持つ所謂「ペイントブラシマーカー」が挙げられる。
【０００３】
一部の筆記用具は、可動式内側キャップを持ち、キャップとペン先との間を二次的に密封する。可動式内側キャップは、長手方向のキャップ軸に沿って滑らせることが可能であり、スプリングによってキャップ開口部側に偏っている。そのような配置によって可動式内側キャップと口金との間がさらに密閉される一方で、この種の配置によって製造の複雑さやコストが著しく増加する。
【発明の概要】
【０００４】
一実施形態では、筆記用具用のペン先組立品は、第１の端部および第２の端部を持つ口金を具備する。この口金は、口金内側壁部と口金外壁部とを有し、口金内側壁部と口金外壁部とが開口部を持つウェルによって分けられている。キャップは、第１の端部、第２の端部、および第１のキャップ壁部を持つ。この第１のキャップ壁部は、少なくとも部分的にウェル内に収納される大きさおよび形状を有する。第１のキャップ壁部は、キャップが口金に連結される場合、少なくとも部分的に、口金内側壁部と口金外壁部との間のウェルの中に配置される。
【０００５】
別の実施形態では、筆記用具は、第１の端部の開口部と中空中核部とを持つ軸柄を具備する。インク容器は、中空中核部の中に配置されている。口金は軸柄に連結し、第１の口金端部および第２の口金端部を持つ。この口金は口金内側壁部および口金外壁部を有する二重の壁部を持ち、口金内側壁部と口金外壁部との間の空隙が開口部を有するウェルを形成している。ペン先は、少なくとも部分的に、口金内側壁部の中に配置されており、ペン先はインク容器と流体連通している。キャップは、第１のキャップ端部および第２のキャップ端部と、第１のキャップ壁部によって形成された第１のキャップ端部に近接する開口部とを持つ。第１のキャップ壁部は、キャップが口金に連結される場合、少なくとも部分的に口金内側壁部と口金外壁部との間のウェルに嵌合する大きさおよび形状を有する。
【図面の簡単な説明】
【０００６】
【図１】二重の壁部を有する口金を持つペン先組立品が含まれる筆記用具の斜視図である。
【０００７】
【図２】図１の筆記用具の断面図であって、キャップが閉位置にあり、口金に連結している。
【０００８】
【図３】図１の筆記用具の断面図であって、キャップが開位置にあり、口金から外されてペン先を露出している。
【０００９】
【図４】図３の筆記用具の断面図であって、ペン先およびインク容器が取り外されている。
【００１０】
【図５】二重の壁部を持つ口金を有するペン先組立品を持つ筆記用具の別の実施形態の断面図である。
【発明を実施するための形態】
【００１１】
問題が見つかっているのは、筆型筆記用具を用いる場合に、キャップを繰り返して開閉している場合、キャップおよび軸柄が正確に位置合わせされないと思われることから、インクがペン先からキャップ内面に移り、続いて把持面（例えば、口金の外面または軸柄の外面）に移り得る点である。この不正確な位置合わせによって、ペン先がキャップの内面に接触してしまう。このような接触がなされている間、インクがペン先からキャップの内面に移る可能性がある。閉じる動きの間、キャップは軸柄を滑り落ちるので、移ったインクを含むキャップの内面の一部分が最終的に口金の外面に接触してしまう可能性がある。キャップの内面にあるインクは、次に、少なくとも部分的に、口金の外面に移る可能性がある。口金は、多くの場合、筆記中、消費者によって握られる筆記用具の一部分である。その結果、筆記のために消費者がキャップを外す場合、口金の外面上のインクが消費者の指に移る場合があり、消費者の観点からすれば、このようなことは望ましくないことである。非多孔性の面で数珠状になる水性インクとは異なりパーマネントインクが非多孔性の面を湿らせることから、口金上のパーマネントインクは消費者にとって必ずしもはっきり見えるものではない。このように、消費者は筆記が完了して消費者の指にインクが移るまで、口金の外面にインクがあったことさえ気がつかない。同様に、キャップが軸柄の後ろに置かれる場合、例えば、筆記中に軸柄の後端部上にキャップが格納された場合、キャップ内面からインクが軸柄の後端部にさらに移る可能性がある。
【００１２】
本明細書中で説明されるペン先組立品および筆記用具は、インクがキャップの内側から口金の把持（または外）面に移るのを有利に防ぐので、把持面を有する筆記用具を使用する場合に把持面から消費者の指にインクが移るのを防ぐ。二重の壁部を持つ口金を含むペン先組立品を提供することで、そのようなインクの移動を防ぐことができる。二重壁口金は、口金内側壁部と口金外壁部とを有し、それらの間にウェルが形成されている。ペン先は、通常、口金内側壁部の内側に位置する（少なくとも本発明に係る筆記用具が完全に組立てられた場合）。例えば、インクが最初にキャップから口金外壁部の外面に移り、続いて、多くの場合、消費者の指に（さらに再び）移る従来の筆記用具のように、キャップ内面をこするペン先によって生じるすべての残留インクは、口金内側壁部と口金外壁部との間にトラップされるので、口金の把持領域への残留インクの移動を防ぐことができる。
【００１３】
図示したように、筆記用具キャップは、第１または内側のキャップ壁部と第２または外側のキャップ壁部とを有し、キャップ内壁部がキャップの開口部または底部にぴったりと重なる。しかし、キャップ内壁部は、キャップの底部にぴったりと重なる必要はない。むしろ、キャップ内壁部は、キャップの中に凹部を形成するか、またはキャップ内壁部がキャップの底部を超えて外側に延びるということもあり得る。しかし、消費者にとってキャップ内壁部が見えるものなので、消費者がマーカーを閉じる場合にキャップとペン先とを目で確認しながら位置合わせすることがさらに可能となり、その結果、キャップの内面にペン先をこすりつけることが少なくなる。さらに、キャップ内壁部と口金内側壁部との間ならびに口金外壁部とウェルとの間がふさがれる。
【００１４】
ここで図１を参照すると、筆記用具１０の一実施形態は、一端部に開口部を持つ軸柄１２とキャップ１４とを有する。ペン先組立品１６は一端部の開口部に近接した軸柄１２に連結している。このペン先組立品１６は、軸柄１２に連結した口金１８と、この口金１８の中に少なくとも部分的に配置されたペン先２０とを有する。ペン先２０は、軸柄１２から長手方向外側に延び、下地にインクを運ぶために露出している。
【００１５】
図２および図３でさらに示されるように、インク容器２２は、軸柄１２の中空中核部の中に位置していてもよく、インク容器２２はペン先２０と流体連通することが可能である。インク容器２２を繊維性の材料で作ってもよく、ペン先にインクを送ることができる容器の代わりになる。ペン先２０は、ボールポイント、押出プラスチックポイント、万年筆用ペン先、または多孔性プラスチック製ペン先であってもよい。そのような多孔性プラスチック製ペン先の繊維は、熱可塑性ポリマー、例えば、ポリエステル、ポリプロピレン、アクリル樹脂、ナイロン、またはそれらの任意の組み合わせの１つまたは複数からより頻繁に製造される。概ね、そのような多孔性プラスチック製ペン先から送られるインクは、粘度が約１ｃｐｓ（センチポアズ）から約３０ｃｐｓの範囲内であり、より望ましくは粘度が約２ｃｐｓから約２５ｃｐｓの範囲内、さらにより望ましくは粘度が約３ｃｐｓから約２０ｃｐｓの間、そして最も望ましくは粘度が約５ｃｐｓである。
【００１６】
筆記用具が相対的に長くかつより柔らかいペン先（例えば、所謂「ペイントブラシマーカー」で見られるもの）であり得る場合に、口金の把持部分へのインク送りの問題がとりわけ問題であることから、ペン先２０を相対的に長くかつ柔軟性のあるペン先繊維にすることが可能である。相対的に長くかつ柔軟なペン先繊維を製造するための１つの有用な材料は、ナイロンである。ナイロンに類似した特性を持つ他の材料も、相対的に長くかつ柔軟なペン先繊維の製造に用いることが可能である。ペン先２０はまた、柔軟性を高めるために、かつ消費者によって加えられる圧力の量に応じて筆記している間のストロークの長さを種々のものにするために、丸みをつけた外面を持ってもよい。丸みをつけられた外面の半径は、望ましくは、約１５ｍｍから約２５ｍｍの範囲内、例えば約２０ｍｍである。ペン先２０は、通常、柔軟性がさらに加えられる離れたところまで、口金１８を超えて外側に延びる。例えば、ペン先２０は、約８ｍｍから約１２ｍｍの間、より具体的には約１０．４ｍｍまで、口金１８を超えて外側に延びてもよい。相対的に長いペン先繊維の上記所望の特徴によって、ペン先２０の柔軟性の度合いが著しく高まり、この柔軟性によって消費者は下地に足して、インクのブラシストロークが多種多様になり得る。そのような多孔性ペン先によって運ばれるブラシストロークは、見た目も感じもペイントブラシのストロークに似せることが可能である。
【００１７】
示したように、口金１８は、第１または内側の口金壁部２４と第２または外側の口金壁部２６とを有し、それらの間にウェル２８が形成されたものであってもよい。口金内側壁部２４は、概ね、口金外壁部２６の自由端部よりも外側長手方向にさらに延びる自由端部を持つ。しかし、口金内側壁部２４の自由端部が口金外壁部２６の中に凹部を形成するか、または口金内側壁部２４の自由端部が口金外壁部２６の自由端部と同等の距離延びるということもあり得る。いかなる場合でも、ウェル２８は口金内側壁部２４と口金外壁部２６との間に形成されよう。図に示した実施形態では、口金内側壁部２４と口金外壁部２６とが実質的に円筒状の形状を有しており、口金内側壁部２４と口金外壁部２６とが口金１８の長手方向の軸２７と同軸である。別の実施形態では、口金内側壁部２４および口金外壁部２６は別の断面形状、例えば楕円形、正方形、長方形、多角形、または実質的に任意の他の断面形状を有するものであってもよい。また、さらに別の実施形態では、口金内側壁部２４および口金外壁部２６は同軸である必要が無い。例えば、他の実施形態では、口金内側壁部２４が口金外壁部２６と長手方向の軸を共有しないように、口金内側壁部２４が口金外壁部２６の一方の側に偏っていてもよい。
【００１８】
口金１８は、ペン先２０の少なくとも一部分を収容する大きさおよび形状を有する第１の部分３２とインク容器２２の一部分を収容する大きさおよび形状を有する第２の部分３４とを持つ中心穴３０を有してもよい。口金１８は、例えば毛細管現象によって、インク容器２２からペン先２０へインクが運ばれ得るように、ペン先２０およびインク容器２２が互いに流体連通した状態でこれらを保持する。中心穴３０の第１の部分３２の内面３６は、内側方向に突出した環状突起部３８を有してもよく、この環状突起部はペン先２０の外面４２に配置された対応の環状流路４０と連動して、ペン先２０を口金１８の中心穴３０の中に確実に配置する。環状流路４０は、その筆様用途の品質を高めるようにして、ペン先２０の柔軟性を高めることもできる。
【００１９】
口金１８の外面は、１つまたは複数の環状突起部３１を有してもよく、この環状突起部は軸柄１２の内面上の１つまたは複数の内側方向突出環３３と連動して、口金１８を軸柄１２に連結させる。いくつかの実施形態において、環状突起部３１および内側方向突出環３３は、スレッドの形状を取るものであってもよい。さらに別の実施形態では、口金１８は他の手段、例えばエポキシ、プラスチック溶接、締まりばめ、または他の連結部によって、軸柄１２に連結されてもよい。
【００２０】
キャップ１４は、第１または内側のキャップ壁部４４と第２または外側のキャップ壁部４６とを有してもよい。キャップ内壁部４４は、キャップ１４の第１の端部４８でキャップ外壁部[４６] と接続してもよい。キャップ１４の第２の端部５０において、キャップ内壁部４４は、環状空隙５２によってキャップ外壁部４６から離間してもよい。図に示した実施形態では、キャップ内壁部４４およびキャップ外壁部[４６]の形状は実質的に円筒状であり、キャップ内壁部４４およびキャップ外壁部[４６]はキャップ１４の長手方向の軸５４と同軸である。他の実施形態では、キャップ内壁部４４およびキャップ外壁部４６は、他の断面形状、例えば楕円形、正方形、長方形、多角形、または実質的に任意の他の断面形状を有するものであってもよい（通常、キャップ１４の断面形状は口金１８の断面形状に一致する）。また、他の実施形態において、キャップ内壁部４４およびキャップ外壁部４６は、キャップ内壁部４４が口金１８のウェル２８の中に少なくとも部分的に嵌合する大きさおよび形状を有する限り、同軸である必要はない。例えば、他の実施形態では、キャップ内壁部４４がキャップ外壁部４６と長手方向の軸を共有し得ないように、キャップ内壁部４４がキャップ外壁部４６の一方の側に偏っていてもよい。しかし、キャップ内壁部４４およびキャップ外壁部４６は、口金１８の大きさおよび形状と連動する大きさおよび形状を有していなければならない。より詳しくは、キャップ内壁部４４は、キャップ１４が閉位置にある場合に、少なくとも部分的に口金１８のウェル２８の中に嵌合する大きさを有するべきであり、それによってキャップ１４が口金１８に連結し、ペン先２０が偶発的ダメージから守られ、かつペン先２０からのインク成分の不要な蒸発を少なくすることに加えて、キャップ１４の内側から口金１８の外へのインクの移動を防ぐ。キャップ内壁部４４の内面８０は、キャップ１４が口金１８と連結した場合、口金１８の長手方向の軸２７と長手方向に位置合わせされた中心ブラインド穴を形成する。このブラインド穴は、環状空隙５２と同軸であってもよい。
【００２１】
口金外壁部２６の内面５６は内側方向に突出した突起部５８を有し、この突起部は、キャップ１４が閉位置にある場合、キャップ内壁部４４の外面６０と連動して、口金１８とキャップ１４との間に第１の封止部を形成する。口金外壁部２６の外面６２は、隆起環状突起部６４を有してもよく、この環状突起部は、キャップ外壁部４６の内面６８上の対応する内側方向突出環６６と連動し、キャップ１４が閉位置にある場合に口金１８とキャップ１４との間に、第２の封止部を形成する。必要に応じて、第１の封止部と第２の封止部とを逆にしてもよい。例えば、他の実施形態において、突起部５８を口金内側壁部の外面に位置させ、隆起環状突起部６４と内側方向突出環６６の位置を入れ替えてもよい。
【００２２】
口金外壁部２６の内面５６は、面取りまたは傾斜部７０を有してもよく、この傾斜部は、キャップ内壁部４４の外面上の対応する傾斜面７２と連動し、キャップ１４が閉位置に向けて移動するプロセスにある場合にキャップ内壁部４４をウェル２８の中に誘導する。この傾斜部７０は、約２度から約４０度の間、好ましくは約５度から約２５度、そしてより好ましくは約１５度で、口金１８の長手方向の軸に対して傾斜し得る。傾斜部７０は、ウェル２８の上端開口部を形成する。この上端開口部は、ウェルの底部よりも放射状に大きく、傾斜部７０が誘導面として作用する。この誘導面は、キャップ１４が口金１８に連結するプロセスにある場合、ウェルの中にキャップ内壁部４４を誘導する。
【００２３】
キャップ内壁部４４の内面８０に移されるすべてのインクは、キャップ１４が閉位置にある場合、ウェル２８にトラップされるようになり、それによって、インクが把持面（例えば口金外壁部２６の外面６２）に移り始めるのを防ぐ。したがって、開示されたペン先組立品１６は、消費者がキャップを外して筆記用具を使用する際、消費者の指にインクが付着するのを防ぐ。
【００２４】
軸柄１２もまた、その後端部にレセプタクル（不図示）を有することが可能である。このレセプタクルは、ブラインド穴とレセプタクル壁部とを具備してもよい。キャップ１４が閉位置にない場合、キャップ１４を軸柄１２の後端部に対して着脱自在に連結して、キャップ１４の紛失を防ぐことができる。キャップ１４が軸柄１２の後端部に連結する場合、キャップ内壁部４４は、少なくとも部分的に、レセプタクルの中に配置され、レセプタクル壁部がキャップ内壁部４４とキャップ外壁部４６との間に位置し得る（例えば、レセプタクル壁部は、少なくとも部分的に、環状空隙５２の中に配置され得る）。これによって、口金１８の外面に関して上述したことと同様にして、キャップ内壁部４４の内面８０から軸柄１２の外面へのインクの移動を防ぐことができる。
【００２５】
図５は、キャップ１１４の内面１８０から口金１１８の把持面１６２へインクが移るのを防ぐペン先組立品１１６を持つ筆記用具１１０の他の実施形態を示す。図５の実施形態と図１〜４の実施形態との違いのみを説明し、類似の構成要素については単に１００増加させて同様の参照符号を付する。
【００２６】
図５の実施形態がウェル１２８によって離間した外側壁部１２６と内壁部１２４とを持つ口金１１８を有する一方で、キャップ１１４は、単一のキャップ壁部１４４を有する。すなわち、図５の実施形態のキャップ１１４は、キャップ外壁部を有していない。しかし、第１の実施形態にあるように、単一のキャップ壁部１４４は、少なくとも部分的にウェル１２８の中に配置される大きさおよび形状の遠位部１８６を有する。遠位部１８６は、通常、肩部１９０でより広い近位部１８８に連結する。この肩部は、口金外壁部１２６と連動する大きさを有し、実質的に連続した器具外面１９２を形成する。単一のキャップ壁部１４４の内面１８０がウェル１２８の中にトラップされるので、内面１８０のインクは、口金外壁部１２６の外面１６２への移動が妨げられ、そのため、筆記用具１１０を使用する消費者の指への移動を防ぐ。
【００２７】
上述の実施形態と同様に、軸柄１１２はまた、その後端部にレセプタクル（不図示）を有することが可能である。このレセプタクルは、ブラインド穴とレセプタクル壁部とを具備してもよい。キャップ１１４が閉位置にない場合、キャップ１１４を軸柄１１２の後端部に着脱自在に連結して、キャップ１１４の紛失を防ぐことができる。キャップ１１４が軸柄１１２の後端部に連結する場合、キャップ壁部１４４の遠位部１８６は、レセプタクル壁部によってキャップ壁部１４４の内面１８０が軸柄１１２の外面から離されるようにして、少なくとも部分的にレセプタクルの中に配置される。このことは、キャップ壁部１４４の内面１８０から軸柄１１２の外面にインクが移るのを防ぐ。
【００２８】
本明細書中に記載のキャップ１４、１１４および口金１８、１１８は、好ましくは、射出成形プロセス中に熱可塑性の材料から作られる。適当な熱可塑性材料として、ポリプロピレン、ポリエチレン、ナイロン等が挙げられる。他の適当な材料として、金属（例えば、鋼材、アルミニウム、およびメッキ金属）、ガラス、セラミックス、および複合材料が挙げられる。
【００２９】
本明細書中に説明するペン先組立品は、実質的に、いかなる種類の筆記用具（例えば、万年筆、サインペン、ボールペン、毛細管現象を利用したマーカー、ならびに、より詳しくは、パーマネントインクブラシチップマーカー、水性インクブラシチップマーカー、ブラシチップ化粧品またはボディアートマーカー等のブラシチップマーカー）にも取り入れることが可能である。
【００３０】
本明細書中に説明するペン先組立品は、キャップ内面にあるインクが、このインクをさらにユーザーの指に移すかもしれない外側把持面に移るのを防ぐ。その結果、消費者は、書く作業がより快適になり、また、気がつかないうちに指から下地にインクが移る可能性が低くなる。
【００３１】
この発明の実施形態が例証を目的として本明細書中にかなり詳細に開示されている一方で、そのような詳細の多くが本発明の精神および範囲から逸脱することなく、変更可能であることを当業者は理解するであろう。したがって、添付の請求の範囲に示されるような制限のみが本発明に置かれるべきである。
【図１】
2015511192.tif 000003
【図２】
2015511192.tif 000004
【図３】
2015511192.tif 000005
【図４】
2015511192.tif 000006
【図５】
2015511192.tif 000007
【国際調査報告】
2015511192.tif 000008
2015511192.tif 000009